(57)【要約】  合成樹脂ハウジング（１８）を有する飲水バルブ（１０）は、攻撃的なクリーニング剤に対して抵抗力がないので、合成樹脂ハウジングを有する従来の飲水バルブよりも攻撃的なクリーニング剤に対して抵抗力を有するように、給水ライン（１３）と接続可能な合成樹脂ハウジング（１８）と、部分的にこの合成樹脂ハウジング（１８）から下に突出するバルブピン（２０）と、このバルブピン（２０）の上に配設されたアッパピン（２３）とを有する、動物飲水用、特に家禽飲水用の飲水バルブにおいて、合成樹脂ハウジング（１８）に、この合成樹脂ハウジング（１８）の最大内径の少なくとも１７％の肉厚を備えさせることによって、合成樹脂ハウジング（１８）の肉厚を若干増大させる。
2013520966.tif 000002
【特許請求の範囲】
【請求項１】
給水ライン（１３）と接続可能な合成樹脂ハウジング（１８）と、部分的にこの合成樹脂ハウジング（１８）から下に突出するバルブピン（２０）と、このバルブピン（２０）の上に配設されたアッパピン（２３）とを有する、動物飲水用、特に家禽飲水用の飲水バルブにおいて、
合成樹脂ハウジング（１８）が、この合成樹脂ハウジング（１８）の最大内径の少なくとも１７％の肉厚を備えること、を特徴とする飲水バルブ。
【請求項２】
合成樹脂ハウジング（１８）の肉厚が、この合成樹脂ハウジング（１８）の最大内径の最大２９％であることを特徴とする請求項１に記載の飲水バルブ。
【請求項３】
合成樹脂ハウジング（１８）の外面及び／又は内面が、異なった肉厚の部分を備え、合成樹脂ハウジング（１８）の最大内径を有する部分に関しては、合成樹脂ハウジング（１８）の肉厚が、最大内径の１７％〜２９％である、及び／又は、最小内径を有する部分に関しては、合成樹脂ハウジング（１８）の肉厚が、合成樹脂ハウジング（１８）の最小内径の２３％〜３６％であること、を特徴とする請求項１又は２に記載の飲水バルブ。
【請求項４】
合成樹脂ハウジング（１８）の外面及び／又は内面が、異なった肉厚の部分を備え、合成樹脂ハウジング（１８）の全長の少なくとも半分にわたって、合成樹脂ハウジング（１８）の肉厚が、合成樹脂ハウジング（１８）の平均内径の２４％〜２９％であること、を特徴とする請求項１に記載の飲水バルブ。
【請求項５】
合成樹脂ハウジング（１８）が、アクリロニトリル−スチレン−アクリル酸エステル（ＡＳＡ）から構成されていること、を特徴とする請求項１に記載の飲水バルブ。
【請求項６】
バルブピン（２０）とアッパピン（２３）が、同じ又は少なくとも同様の鋼から構成されていること、を特徴とする請求項１に記載の飲水バルブ。
【請求項７】
合成樹脂ハウジング（１８）内に、鋼から成る挿入スリーブ（１９）が配設されており、この鋼が、少なくともバルブピン（２０）とアッパピン（２３）を構成するものと同じ鋼であるか、少なくとも等価であること、を特徴とする請求項１に記載の飲水バルブ。
【請求項８】
挿入スリーブ（１９）、バルブピン（２０）及びアッパピン（２３）を構成する鋼が、ステンレス特殊鋼であること、を特徴とする請求項６又は７に記載の飲水バルブ。
【請求項９】
挿入スリーブ（１９）が、合成樹脂ハウジング（１８）の下の内側の部分領域だけにわたってアッパピン（２３）にまで延在すること、を特徴とする請求項７に記載の飲水バルブ。
【請求項１０】
挿入スリーブ（１９）が、その上端面に、アッパピン（２３）の下端面の環状のシール面（３２）と対応する環状のシール座（３３）を備えること、を特徴とする請求項７に記載の飲水バルブ。
【請求項１１】
挿入スリーブ（１９）の外周面が、その外周面の長さの一部にわたって延在する環状の狭窄部（２４）を備えること、を特賞とする請求項７に記載の飲水バルブ。
【請求項１２】
狭窄部（２４）の深さが、狭窄部（２４）の領域外の挿入スリーブ（１９）の外径の６％までであること、を特徴とする請求項１１に記載の飲水バルブ。
【請求項１３】
狭窄部（２４）の長さが、挿入スリーブ（１９）の長さの１０％〜２０％であること、を特徴とする請求項１１に記載の飲水バルブ。
【請求項１４】
合成樹脂ハウジング（１８）が、挿入スリーブ（１９）の狭窄部（２４）の領域内の内面に、特に環状のリング形式の突出部（４２）を備えること、を特徴とする請求項１１に記載の飲水バルブ。
【発明の詳細な説明】
【技術分野】
【０００１】
本発明は、請求項１の上位概念による飲水バルブに関する。
【背景技術】
【０００２】
飲水バルブは、ひよこ、鶏、七面鳥等のような特に小動物を工場式に畜産する際に使用される。飲水バルブは、動物に対して、水の必要量を自動的に用意することを可能にする。このため、動物は、飲水バルブのハウジングから下に突出するバルブピンの操作端を操作する。
【０００３】
通常、複数の飲水バルブが、長細い飲水ラインに付設されている。この飲水ラインは、飲水バルブを結合された少なくとも１つの給水ラインを有する。通常、飲水バルブは、上端領域を、給水ラインの下の壁内にねじ込まれる。
【０００４】
飲水バルブを含めた前記の動物の飲水は、衛生上の理由から、規則的な時間間隔でクリーニング及び／又は消毒する必要がある。このため、攻撃的な衛生的クリーニング剤が使用される。これらクリーニング剤が特に飲水バルブの合成樹脂ハウジングを侵害すること、が分かった。特に、既に何度も攻撃的な化学媒体でクリーニングされた古い飲水バルブの合成樹脂ハウジングが攻撃を受ける。
【先行技術文献】
【特許文献】
【０００５】
【特許文献１】英国特許第１２８８１３４号明細書
【特許文献２】英国特許第１２３７４５９号明細書
【特許文献３】欧州特許出願公開第０３３２８５２号明細書
【発明の概要】
【発明が解決しようとする課題】
【０００６】
本発明の根底にある課題は、合成樹脂ハウジングを有し、それにもかかわらず、合成樹脂ハウジングを有するこれまでの飲水バルブよりも攻撃的な媒体に対して抵抗力のある、動物引水用の、特に家禽引水用の飲水バルブを提供することにある。
【課題を解決するための手段】
【０００７】
この課題は、請求項１の特徴を有する飲水バルブによって解決される。従って、合成樹脂ハウジングは、この合成樹脂ハウジングの最大内径の少なくとも１７％の肉厚を備える。このような肉厚は、合成樹脂ハウジングを有するこれまでの飲水バルブの場合よりも大きい。驚くべきことに、このように増大された肉厚を有する合成樹脂ハウジングが攻撃的な媒体に対して、特にクリーニング剤に対して鈍感であること、が分かった。特に、驚くべきことに、このような肉厚の合成樹脂ハウジングが、しばしば攻撃的な媒体にさらされる場合でも裂けないこと、がわかった。
【０００８】
合成樹脂ハウジングの肉厚は、最大内径の少なくとも１７％で、最大内径の２９％よりも大きくないことが、好ましい。合成樹脂ハウジングの前記最大肉厚を上回った場合、合成樹脂ハウジングが非常に硬直し、これにより攻撃的な媒体が亀裂を生じさせることにもなるとの危険がある。
【０００９】
更に、合成樹脂ハウジングの外面及び／又は内面は、異なった肉厚の部分を備える。このようなハウジングの場合、肉厚は、最小内径を有する部分に関しては、最小内径の最低２３％で、最大３６％である。選択的又は付加的に、最大内径を有する部分に関しては、肉厚は、最大内径の最低１７％で、最大２９％である。このような最大肉厚及び最低肉厚は、段差の付いた合成樹脂ハウジングの場合でも、全ての部分の、しかも小さい肉厚を有する部分の肉厚が、攻撃的な媒体によって生じさせられる有害な影響を、特に合成樹脂ハウジングの亀裂の形成を確実に回避するために十分な厚さを備えること、を保証する。
【００１０】
外面及び／又は内面が、特に内面と外面の両方が、異なった肉厚の部分を備える、合成樹脂ハウジングを有する飲水バルブの別の有利な形成では、合成樹脂ハウジングの全長の少なくとも半分の領域内の肉厚が、合成樹脂ハウジングの平均内径の２４％〜２９％、特に２６％〜２８％である。これによっても、段差の付いた合成樹脂ハウジングの場合でも、攻撃的な化学媒体の有害な影響を確実に阻止するために、常に十分な肉厚であること、が保証されている。
【００１１】
合成樹脂ハウジングが、アクリロニトリル−スチレン−アクリル酸エステル（ＡＳＡ）から成る場合に、飲水ドリンクの合成樹脂ハウジングの肉厚の本発明による特別な寸法設定が、特に有利であると分かった。ちょうどこの熱可塑性の合成樹脂の場合、合成樹脂ハウジングの肉厚の増大が、特に全ての化学媒体に対する抵抗力の改善を達成し、特に攻撃的な媒体に基づく亀裂の危険を排除すること、が分かった。しかしながらまた他の熱可塑性の合成樹脂も、肉厚の本発明による増大と関係して、攻撃的な媒体に対する、特に攻撃的な化学媒体に対する合成樹脂ハウジングの抵抗力を向上させるために寄与することができる。
【００１２】
有利に形成された飲水バルブの場合、バルブピンとアッパピンが、同じ又は等価もしくは同様の鋼から、特に同じ又は等価もしくは同様のステンレス特殊鋼から構成されている。これにより、特に、飲水バルブが攻撃的な化学媒体によって洗浄もしくはクリーニングされる場合に、アッパピンとバルブピン間の電気化学的腐食が防止される。
【００１３】
合成樹脂ハウジング内の挿入スリーブも、鋼から、特にステンレス特殊鋼から構成することが、好ましい。鋼、特にステンレス特殊鋼は、バルブピン及び／又はアッパピン用の鋼もしくは特殊鋼と同じ又は等価もしくは同様の鋼もしくは特殊鋼が、挿入スリーブを構成するために好ましい。これも、飲水バルブが挿入スリーブを備える場合に、電気化学的腐食を回避するために寄与する。
【００１４】
飲水バルブの好ましい発展形によれば、挿入スリーブは、合成樹脂ハウジングの下の内側の部分領域だけにわたって、しかも特にアッパピンにまで延在する。特に、挿入スリーブは、その上端面に、アッパピンの下端面の環状のシール面と対応する環状のシール座を備える。このようにして、アッパピンは、その端面のシール面だけで挿入スリーブと接触する。その他、アッパピンは、特にその外壁は、合成樹脂ハウジングだけと接触する。合成樹脂ハウジングの内面は、通常、挿入スリーブの壁よりも平滑であり、これにより、アッパピンは、バルブを開閉するために容易に上下動可能である。合成樹脂ハウジングの平滑な合成樹脂は、いわば、合成樹脂ハウジング内で上下動可能なアッパピン用の滑り軸受け部を構成し、それほど急速に汚れる傾向はない。
【００１５】
飲水バルブの挿入スリーブは、その長さの一部にわたって延在する溝形式の狭窄部を外周面に備える。この狭窄部は、面積を縮小し、これにより、挿入スリーブは、合成樹脂ハウジングの弾性的な予荷重部によって合成樹脂ハウジング内に固定されている。面積の縮小により、これにより合成樹脂ハウジングが挿入スリーブを摩擦係合式に保持するが、合成樹脂スリーブ内の内部応力は、少ししか必要でなく、これにより、攻撃的な媒体による合成樹脂スリーブを侵害する危険が低減される。これは、特に、合成樹脂ハウジングを有する従来の飲水バルブに対して合成樹脂ハウジングの肉厚を本発明により増大させることと関係して有効である。
【００１６】
狭窄部の深さが、狭窄部の領域外の挿入スリーブの外径の６％までであることは、好ましい。挿入スリーブのこのような比較的平らな狭窄部は、飲料バルブのクリーニング又は洗浄をするために使用される攻撃的な媒体、特に化学的なウォッシャ液が侵害をしなくなるまで、飲水バルブの合成樹脂ハウジングの、挿入スリーブを包囲する領域内の応力を低減するために、十分であると分かった。合成樹脂ハウジング内に挿入スリーブを摩擦係合式に固定するための合成樹脂ハウジング内の応力を有効に低減するためには、狭窄部の長さは、挿入スリーブの全長の１０％〜２０％であればよい。
【００１７】
合成樹脂ハウジングが、内面に、特に環状のリング形式の突出部を備えることは、好ましい。この突出部は、合成樹脂ハウジングのリング形式の突出部が少なくとも部分的に環状の溝形式の凹部に、換言すれば挿入ハウジングの外周に係合するような、合成樹脂ハウジングの箇所に存在する。合成樹脂ハウジング内に挿入スリーブの構造的な噛合い式の固定部が成立する。この噛合い式の固定部は、挿入スリーブと合成樹脂ハウジング間での突出部のロックを可能にする。合成樹脂ハウジングの、噛合い式に挿入スリーブの狭窄部に係合するリング形式の突出部は、挿入スリーブが比較的小さい予荷重でしか合成樹脂ハウジングに圧入されていない場合でも、挿入スリーブは、合成樹脂ハウジング内に、押出し作用に抗して確実に固定される。挿入スリーブに対する合成樹脂ハウジングの少ない予荷重に基づいて、飲水バルブは、化学的な影響に対して抵抗力を有する。それは、合成樹脂ハウジングの機械的負荷が、少ない予荷重によって低減されるからである。
【００１８】
飲水バルブの他の有利な形成では、アッパピンの上端面は、シール座のところで挿入スリーブに載置されているシール位置で、最大２ｍｍ、特に１ｍｍだけ、合成樹脂ハウジングの上端面の平面からずれている。これにより、アッパピンと合成樹脂ハウジングの端面は、同一平面上で共通の平面内に延在し、これにより、アッパピンは、全く給水ライン内に突出しないか、少なくともそれほど給水ライン内に突出しない。これにより、一方では、給水ライン内の水の流れが、アッパピンによって侵害されないままであり、他方では、合成樹脂ハウジングから突出する、アッパピンの自由な部分が、給水ライン内の水に由来する堆積物によって汚れることはないが、これは、合成樹脂ハウジング内でのアッパピンの自由な上下動能力に関する侵害を伴う。
【００１９】
本発明による飲水バルブの好ましい実施例を、以下で図面により詳細に説明する。
【図面の簡単な説明】
【００２０】
【図１】複数の本発明による飲水バルブを有するライン飲水の原理的な全体図
【図２】給水ライン内にねじ込まれる閉じた飲水バルブの半断面図
【図３】給水ライン内にねじ込まれてない開放した状態の図２の飲水バルブの完全な縦断面図
【発明を実施するための形態】
【００２１】
本発明による飲水バルブ１０は、図１に示したライン飲水と関係して説明される。図１は、ザイル１２に特にほぼ水平に整向されて例えば家畜小屋内に吊るされた、ライン飲水の飲水ライン１１を示す。飲水ライン１１は、動物、特に家禽用の飲水のための水を供給可能な真直ぐな給水ライン１３を有する。給水ライン１３の内部は、調整可能な水圧が支配する。給水ライン１３は、飲水ライン１１を吊るすためのザイル１２と結合された支持成形部材１４の下に固定されている。
【００２２】
給水ライン１３には、所定の間隔で複数の飲水バルブ１０がねじ込まれて、しかも下からねじ込まれている。図２に示した四角形の横断面を有する給水ライン１３の場合は、飲水バルブ１０が、下の平らで水平な壁１５を経て給水ライン１３にねじ込まれている。このため、壁１５は、飲水バルブ１０が給水ライン内に配設されるべきところに、内ネジ１６を有する貫通穴を有する。この内ネジ１６内に、それぞれの飲水バルブ１０の上部が、対応する外ネジ１７によってねじ込まれている。これにより、それぞれの飲水バルブ１０の給水ライン１３との液密の結合が生じる。
【００２３】
この示された実施例では、飲水バルブ１０から排出される飲料水は、各飲水バルブ１０の領域で給水ライン１３に固定された水受けシャーレ２２内に達する。しかしながらまた、飲料水は、開放された飲水バルブ１０から直接それぞれの動物に、特に鶏、ひよこ、七面鳥に排出させることができる。
【００２４】
本発明による飲水バルブ１０は、熱可塑性の合成樹脂、しかも好ましいことにアクリロニトリル−スチレン−アクリル酸エステル（ＡＳＡ）から成る合成樹脂ハウジングを有する。この合成樹脂は、良好な化学的適合性によって際立っている。特に、この合成樹脂は、例えば飲水バルブ１０のクリーニングをするために使用される攻撃的な化学物質に対して比較的抵抗力を有する。
【００２５】
合成樹脂ハウジング１８内には、下から、合成樹脂ハウジング１８の長さのほぼ１／３にわたって延在する挿入スリーブ１９が挿入されている。挿入スリーブ１９内には、バルブピン２０が支承されている。このバルブピン２０は、部分的に、即ち下端領域が、挿入スリーブ１９と合成樹脂ハウジング１８から突出する。バルブピン２０の、飲水バルブ１０から下に突出するこの領域は、バルブピンの操作端２１を構成し、これにより、動物は、バルブピン２０を倒すこと及び/又は持ち上げることによって、水を排出させるために飲水バルブ１０を開放することができる。
【００２６】
加えて、挿入スリーブ１９の上で、合成樹脂ハウジング１８内には、アッパピン２３が配設されている。
【００２７】
バルブピン２０、挿入スリーブ１９及びアッパピン２３は、鋼から、特にステンレス特殊鋼から構成されている。加工形式、即ち切削又は変形、に応じて、挿入スリーブ１９、バルブピン２０及びアッパピン２３の鋼は、異なっているが、攻撃的な媒体に対するその抵抗力に関して同様もしくは等価である。これにより、特に攻撃的な化学媒体と接触したときの、バルブピン２０、挿入スリーブ１９及びアッパピン２３間の電気化学的腐食が防止される。
【００２８】
挿入スリーブ１９は、予荷重によって、摩擦係合式に合成樹脂ハウジング１８の下端領域内に保持されている。この場合に合成樹脂ハウジング１８内に生じる応力を低減するために、挿入スリーブ１９は、外径に、環状の溝形式の狭窄部２４を備えている。この狭窄部２４は、特に挿入スリーブ１９の外径の６％までしかない深さを有する。狭窄部２４の長さは、挿入スリーブ１９の長さの１０％〜２０％である。狭窄部２４は、挿入スリーブ１９の長さに関して、合成樹脂ハウジング１８が挿入スリーブ１９の残りの領域内よりも大きい肉厚を備える合成樹脂ハウジング１８の領域が存在する、ような箇所に存在する。
【００２９】
合成樹脂ハウジング１８は、その内面に、挿入スリーブ１９の外側の狭窄部２４と対応する突出部４２を備える。この突出部４２は、特に環状のリング形式の突出部４２として形成されている。突出部４２は、部分的に挿入スリーブ１９の狭窄部２４内に噛合い式に係合するような、合成樹脂ハウジング１８の内面の箇所に配設及び形成されている。これにより、挿入スリーブ１９は、付加的に噛合い式に合成樹脂ハウジング１８内で移動しないように固定される。これに基づいて、合成樹脂ハウジング１８と挿入スリーブ１９間の予荷重は、挿入スリーブ１９を合成樹脂ハウジング内に挿入する際に合成樹脂ハウジングがそれほど強く広げられないことによって、低減させることができる。挿入スリーブ１９と合成樹脂ハウジング１８間の予荷重が小さいために、合成樹脂ハウジング１８の機械的負荷が低減され、これにより、合成樹脂ハウジングが、攻撃的な媒体、特にクリーニング剤の化学的作用に対して強靭になる。
【００３０】
バルブピン２０は、その上端に、環状の幅の狭いカラー２５を備える。このカラー２５は、その下に存在する、挿入スリーブ１９から下に突出する操作端２１を有するバルブピン２０のシリンダ状の部分の直径よりも大きいシリンダ状の外径を有する。挿入スリーブ１９の上端領域には、バルブピン２０の上端のカラー２５用のシリンダ状の拡幅部２６が存在する。この拡幅部２６は、拡幅部内にカラー２５が完全に収容されるように、しかもバルブピン２０が飲水バルブ１０の開放位置にあるときに完全に収容されるように、寸法設定されている（図３）。バルブピン２０の長手方向中心軸が、合成樹脂ハウジング１８と、同軸にこの合成樹脂ハウジング内に配設された挿入スリーブ１９の長手方向中心軸２７上に存在する場合、バルブピン２０のカラー２５の下側の環状のリング状のシール面２８が、挿入スリーブ１９の拡幅部２６の下端の対応する環状のシール座２９に当接する。これにより、バルブピン２０は、飲水バルブ１０が閉鎖位置にある場合に挿入スリーブ１９上でシールされている（図２）。
【００３１】
回転対称のシリンダ状のアッパピン２３は、段差をつけて形成されている。このアッパピン２３は、その直径が下部部分３１よりも小さい上部部分３０を有する。これら部分３０及び３１は、ほぼ同じ長さであり、上部部分３０は、特に極僅か短い。下部部分３１の終端領域は、垂直な長手方向中心軸２７に対して約３０°〜４０°の角度で延在する環状の面取り部によって、切頭円錐形に形成されている。切頭円錐形の面取り部の斜めに延在する周面は、アッパピン２３の下端の環状のシール面３２を構成する。挿入スリーブ１９の上端面の内側に、アッパピン２３の下のシール面３２に対応するＲ付けされたシール座３３が設けられている。挿入スリーブ１９の上端のこのシール座３３と、アッパピン２３の下側のシール面３２間で、飲水バルブ１９が閉じられた時に（図２）、予備シールが行なわれる。
【００３２】
合成樹脂ハウジング１８は、上端に、小さくされた直径を有する環状のシリンダ状の狭窄部３４を有する。この狭窄部３４のこの直径は、アッパピン３２の上部部分３０の直径よりも若干大きい。これにより、合成樹脂ハウジング１８の狭窄部３４とアッパピン２３の内径の小さい上部部分３０間に、絞り間隙が生じ、この絞り間隙を経て、水は、給水ライン１３から飲水バルブ１０に流入することができるが、固体のパーティクルは、留置される。狭窄部３４の長さは、アッパピン２３の直径の小さい上部部分３０の長さのほぼ半分の大きさである。これにより、アッパピン２３は、合成樹脂ハウジング１８内で上下動することができ、しかも、バルブピン２０を倒すことによってアッパピン２３を飲水バルブ１０の開放位置に持ち上げるために十分であるように、上下動することができる。
【００３３】
アッパピン２３の長さは、飲水バルブ１０が閉じられた時に（図２）、アッパピン２３の上端面３５が２ｍｍまで、特に１ｍｍまでだけ、合成樹脂ハウジング１８の上端面３６に対して出っ張る又は引っ込むように、合成樹脂ハウジング１８の長さに適合させられている。特に、飲水バルブ１０が閉じられた時には、上端面３５は、上端面３６とほぼ同一平面上で終わる。これにより、アッパピン２３は、合成樹脂ハウジング１８の上端領域以上に給水ライン１３内に突出しない。
【００３４】
合成樹脂ハウジング１８は、内側に、何回か段差を付けて形成されている。上の狭窄部３４の下に、中心領域３７が存在するが、この中心領域では、合成樹脂ハウジング１８の内径が、狭窄部３４の領域内の内径よりも若干大きい。特に、中心領域３７内の内径は、アッパピン２３の下部部分３１の直径よりも若干大きいので、アッパピン２３と、中心領域３７内の合成樹脂ハウジング１８間に、幅の狭い環状の絞り間隙が生じ、この絞り間隙を経て、水が、給水ライン１３からバルブピン２０に向かって流れることができる。挿入スリーブ１９が存在する合成樹脂ハウジング１８の下端領域３８は、中心領域３７内の内径に対して更に若干拡大された内径を有する。内径の拡大されたこの下端領域３８は、挿入スリーブ１９の一部、特に大部分を収容するために使用される。
【００３５】
合成樹脂ハウジング１８の外壁は、合成樹脂ハウジング１８の上部領域内の外ネジ１７によって構成される。この外ネジ１７は、合成樹脂ハウジング１８の長さの約１／３にわたって延在する。合成樹脂ハウジング１８は、外ネジ１７の下の中心領域に、六角部３９を備えている。この六角部３９は、給水ライン１３の下の壁内の内ネジ１６に飲水バルブ１０をねじ込むための、もしくは、給水ライン１３から飲水バルブ１０を外すための工具用の作用面を構成する。この六角部３９のレンチサイズは、六角部３９の領域内の合成樹脂ハウジング１８の肉厚を確定する。六角部の下に、合成樹脂ハウジング１８は、幅の狭い環状の溝４０を備える。合成樹脂ハウジング１８の、下に向かって溝４０に続く、溝４０に対して直径の大きい下部領域４１は、切頭円錐形に形成されている。このした領域４１の直径は、合成樹脂ハウジング１８の下端面に向かって減少する。上部領域内に、切頭円錐形の領域４１は、六角部３９のコーナ幅にほぼ一致する直径を備える。
【００３６】
本発明では、合成樹脂ハウジング１８の肉厚を、合成樹脂ハウジングを有する従来の飲水バルブでは普通のものよりも大きく形成する。合成樹脂ハウジング１８の下端領域３８内の最大内径に関しては、合成樹脂ハウジング１８の肉厚は、下端領域３８内の内径の最低１７％、特に最低１８％である。中心領域３７及び／又は狭窄部３４の領域内の合成樹脂ハウジング１８の最大肉厚は、下端領域３８内の最大内径の３０％まで、特に２８．５％である。示した飲水バルブ１０の場合、このようにして、１．４ｍｍ〜２．３ｍｍの肉厚が生じる。合成樹脂ハウジング１８の平均肉厚は、示した飲水バルブ１０の場合、１．８ｍｍ〜２ｍｍの、特に１．８５ｍｍ〜１．９ｍｍの範囲内にある。
【００３７】
六角部３９の領域内の合成樹脂ハウジング１８の最大外径に関しては、肉厚は、特に六角部３９のレンチ幅の最低１０％から最大２２％、特に１２％〜２０％である。
【００３８】
平均内径に対する合成樹脂ハウジング１８の肉厚は、平均内径の２０％〜３２％である。平均外径に関しては、肉厚は、平均外径の１２．５％〜２０．５％である。
【００３９】
平均内径に対する平均肉厚は、平均内径の２４％〜２８％、特に平均内径の２６％〜２７％である。平均外径に対する平均肉厚は、平均外径の１６％〜１８％、特に平均外径の約１７％である。平均外径は、ここに示した飲水バルブ１０の合成樹脂ハウジング１８の場合、約１１．０ｍｍ〜１１．３ｍｍである。平均内径は、約７．０ｍｍ〜７．３ｍｍである。
【００４０】
本発明による飲水バルブ１０は、図１に示したライン飲水のためばかりでなく、他の動物飲水のためにも、しかも水受けシャーレ３２を有していても有していなくても適している。
【符号の説明】
【００４１】
１０    飲水バルブ
１１    飲水ライン
１２    ザイル
１３    給水ライン
１４    支持成形部材
１５    壁
１６    内ネジ
１７    外ネジ
１８    合成樹脂ハウジング
１９    挿入スリーブ
２０    バルブピン
２１    操作端
２２    水受けシャーレ
２３    アッパピン
２４    狭窄部／凹部
２５    カラー
２６    拡幅部
２７    長手方向中心線
２８    シール面
２９    シール座
３０    上部部分
３１    下部部分
３２    シール面
３３    シール座
３４    狭窄部
３５    上端面
３６    上端面
３７    中心領域
３８    下端領域
３９    六角部
４０    溝
４１    下部領域
４２    突出部
【図１】
2013520966.tif 000003
【図２】
2013520966.tif 000004
【図３】
2013520966.tif 000005
【国際調査報告】
2013520966.tif 000006
2013520966.tif 000007
2013520966.tif 000008
2013520966.tif 000009